(57)【要約】【課題】スクリーン前にいるユーザに訴求できるコンテンツ表示が可能なスクリーン投影型サイネージを実現する。【解決手段】電圧を印加すると光透過性が変化するスクリーンシートを縦方向に２分割してガラス板に貼付して、スクリーン前の視聴者の音声を収集してその年齢に合わせて上下のスクリーンの透過度を下げて投影するサイネージ画像がその視聴者が注視しやすいようにする。【選択図】図１
2012226282.tif 000002
【特許請求の範囲】
【請求項１】
視聴ユーザが通過・停止するユーザ空間と、プロジェクタが配置された投影空間とを隔成するために立設されたガラス板と、
ガラス板の一面に貼付され、それぞれに印加された電圧によって光透過性が変化するとともに縦方向に２以上に分割されたスクリーンシートと、
前記スクリーンシートに対して所定の動画または静止画を投影するために前記スクリーンシートに対して所定の距離に配置されたプロジェクタと、
前記スクリーンシートが貼付されたガラス板の近傍に配置され、ユーザ空間の音声を収集するマイクと、
前記マイクの収集音を分析する分析手段と、
前記分析手段に基づいてユーザ空間にいるユーザの少なくとも年齢を推定し、その年齢の平均身長の頭部位置に対応したスクリーンシートの不透過性を高めるよう前記印加電圧を制御する制御手段と
からなるスクリーン投影型サイネージシステム。
【請求項２】
視聴ユーザが通過・停止するユーザ空間と、プロジェクタが配置された投影空間とを隔成するために立設されたガラス板と、
ガラス板の一面に貼付され、それぞれに印加された電圧によって光透過性が変化するスクリーンシートと、
前記スクリーンシートに対して所定の動画または静止画を投影するために前記スクリーンシートに対して所定の距離に配置されたプロジェクタと、
前記スクリーンシートが貼付されたガラス板の近傍に配置され、ユーザ空間の音声を収集するマイクと、
前記マイクの収集音に基づいて音量と周波数とを抽出し、
前記音量と周波数との組み合わせによって関連付けられた複数のコンテンツＩＤとが登録されたコンテンツ決定テーブルと、
前記コンテンツテーブルを参照して決定されたコンテンツＩＤを記憶手段から読み出してプロジェクタから出力させる再生制御手段と
からなるスクリーン投影型サイネージシステム。
【請求項３】
視聴ユーザが通過・停止するユーザ空間と、プロジェクタが配置された投影空間とを隔成するために立設されたガラス板と、
ガラス板の一面に貼付され、それぞれに印加された電圧によって光透過性が変化するスクリーンシートと、
前記スクリーンシートに対して所定の動画または静止画を投影するために前記スクリーンシートに対して所定の距離に配置されたプロジェクタと、
前記スクリーンシートが貼付されたガラス板の近傍に配置され、ユーザ空間の音声を収集するマイクと、
前記マイクの収集音に基づいて音量を抽出し、
前記音量と印加電圧とを関連付けた電圧決定テーブルと、
前記電圧決定テーブルに基づいて決定された電圧を前記スクリーンシートに印加するスクリーンシート制御手段とからなるスクリーン投影型サイネージシステム。
【発明の詳細な説明】
【技術分野】
【０００１】
本発明は、ガラス面に貼付されたスクリーン上に動画や画像を表示する投影情報の制御に適用して有効な技術に関する。
【背景技術】
【０００２】
プラズマディスプレイ、ＬＣＤ、ＬＥＤ等の画像表示装置を用いたデジタルサイネージが一般的になってきている。
【０００３】
しかし、面積当たりの単価や装置構成の簡易性から映像プロジェクタを用いて動画や静止画をスクリーンに対して投影する投影型サイネージが優位である。
【０００４】
この投影型サイネージでは、ガラス面に乳白色のスクリーンを貼付して、スクリーン前を通行する通行人に対してガラスの裏面側から静止画や動画を投影して視聴させる仕組みが一般的であった。
【先行技術文献】
【特許文献】
【０００５】
【特許文献１】特開２０１１‐６００２６号公報
【発明の概要】
【発明が解決しようとする課題】
【０００６】
しかし、従来技術では、スクリーンの前にいる視聴者については考慮しておらず、画一的な投影情報を表示するのみで、広告効果が期待できるものではなかった。
【０００７】
一方、特許文献１に示す技術のように、スクリーン前の視聴者の顔認識を行い、年齢や性別を自動判別する技術も考えられているようであるが、単に年齢や性別に適合した商品の画像を一々切り替えて表示させるものであり、表示タイミングがずれてしまい視聴を期待するユーザに訴求できない場合の多いことが本発明者によって見いだされた。
【０００８】
本発明はこのような点に鑑みてなされたものであり、スクリーン前にいるユーザに訴求できるコンテンツ表示が可能なスクリーン投影型サイネージを実現することを課題とする。
【課題を解決するための手段】
【０００９】
本発明は、前記課題を解決するために、以下の手段を採用した。
【００１０】
本発明の請求項１は、視聴ユーザが通過・停止するユーザ空間と、プロジェクタが配置
された投影空間とを隔成するために立設されたガラス板と、ガラス板の一面に貼付され、それぞれに印加された電圧によって光透過性が変化するとともに縦方向に２以上に分割されたスクリーンシートと、前記スクリーンシートに対して所定の動画または静止画を投影するために前記スクリーンシートに対して所定の距離に配置されたプロジェクタと、前記スクリーンシートが貼付されたガラス板の近傍に配置され、ユーザ空間の音声を収集するマイクと、前記マイクの収集音を分析する分析手段と、前記分析手段に基づいてユーザ空間にいるユーザの少なくとも年齢を推定し、その年齢の平均身長の頭部位置に対応したスクリーンシートの不透過性を高めるよう前記印加電圧を制御する制御手段とからなるスクリーン投影型サイネージシステムである。
【００１１】
本発明の請求項２は、視聴ユーザが通過・停止するユーザ空間と、プロジェクタが配置
された投影空間とを隔成するために立設されたガラス板と、ガラス板の一面に貼付され、それぞれに印加された電圧によって光透過性が変化するスクリーンシートと、前記スクリーンシートに対して所定の動画または静止画を投影するために前記スクリーンシートに対して所定の距離に配置されたプロジェクタと、前記スクリーンシートが貼付されたガラス板の近傍に配置され、ユーザ空間の音声を収集するマイクと、前記マイクの収集音に基づいて音量と周波数とを抽出し、前記音量と周波数との組み合わせによって関連付けられた複数のコンテンツＩＤとが登録されたコンテンツ決定テーブルと、前記コンテンツテーブルを参照して決定されたコンテンツＩＤを記憶手段から読み出してプロジェクタから出力させる再生制御手段とからなるスクリーン投影型サイネージシステムである。
【００１２】
本発明の請求項３は、視聴ユーザが通過・停止するユーザ空間と、プロジェクタが配置
された投影空間とを隔成するために立設されたガラス板と、ガラス板の一面に貼付され、それぞれに印加された電圧によって光透過性が変化するスクリーンシートと、前記スクリーンシートに対して所定の動画または静止画を投影するために前記スクリーンシートに対して所定の距離に配置されたプロジェクタと、前記スクリーンシートが貼付されたガラス板の近傍に配置され、ユーザ空間の音声を収集するマイクと、前記マイクの収集音に基づいて音量を抽出し、前記音量と印加電圧とを関連付けた電圧決定テーブルと、前記電圧決定テーブルに基づいて決定された電圧を前記スクリーンシートに印加するスクリーンシート制御手段とからなるスクリーン投影型サイネージシステムである。
【発明の効果】
【００１３】
本発明によれば、スクリーン前にいる視聴者に注視させることが可能な投影型サイネージシステムを実現することができる。
【図面の簡単な説明】
【００１４】
【図１】本発明のシステム構成の概略を示す説明図
【図２】本実施形態の制御部の内部構成を示すハードウエア構成図
【図３】本実施形態のコンテンツ決定テーブルを示す説明図
【図４】本実施形態の電圧決定テーブルを示す説明図
【発明を実施するための形態】
【００１５】
以下、 本発明を図に基づいて説明する。
【００１６】
（実施形態１）
図１は、本発明の実施形態の一つである、画面分割型の投影型サイネージシステムを示す概略説明図である。
【００１７】
この実施形態では、図示を省略したがビルのショールームや地下街のガラス壁の一面に縦方向に２分割されたスクリーンシート（ＳＣ１、ＳＣ２）が貼付されている。
【００１８】
このようにスクリーンシートを２分割することによって、ガラス面の比較的大きな面積に対しても皺や空気層が入りにくい状態で貼付できるという特徴がある。さらに、スクリーンシート（ＳＣ１、ＳＣ２）毎に電圧を印加することができるようになっている。
【００１９】
スクリーンシート（ＳＣ１、ＳＣ２）は、光透過性のシートが、電圧の印加によって乳白色となりスクリーンとして機能するシートであるが、これとは逆に無印加のときには乳白色で電圧の印加によって光を投下する特性であってもよい。要するに、制御部（ＣＯＮ）による電圧の印加によって光透過性が変化する特性を有していればよい。より具体的には、このスクリーンシート（ＳＣ１、ＳＣ２）としては、オックスプランニング株式会社のＴＡＮＹＯ（登録商標）を用いることができる。
【００２０】
前記スクリーンシート（ＳＣ１、ＳＣ２）の近傍にはマイク（ＭＩＣ）が設置されており、当該マイク（ＭＩＣ）から収集された音声は、制御部（ＣＯＮ）に入力されるようになっている。
【００２１】
一方、制御部には前記スクリーンシート（ＳＣ１、ＳＣ２）に対してコンテンツ動画、静止画を投影するプロジェクタが接続されている。
【００２２】
図２は、制御部のハードウエア構成を示している。同図に示すように制御部は汎用のパーソナルコンピュータ等の情報処理装置で構成されている。
【００２３】
制御部は、中央処理装置（ＣＰＵ）およびメインメモリ（ＭＭ）を中心にバス（ＢＵＳ）を介して大規模記憶装置（ＨＤ）、ディスプレイ装置（ＤＩＳＰ）、キーボード（ＫＢＤ）が接続されている。さらにインターフェース（Ｉ／Ｏ）およびスイッチボックス（ＳＷＢＯＸ）を介してスクリーン（ＳＣ１，ＳＣ２）に供給される電力が制御できるようになっている。
【００２４】
前記大規模記憶装置（ＨＤ）にはオペレーティングシステム（ＯＳ）とともに、制御プログラム（ＡＰＬ）がインストールされている。また、各種テーブル（ＴＢＬ）およびコンテンツデータ（Ｃ−ＤＡＴＡ）が登録されている。
【００２５】
前記アプリケーションプログラム（ＡＰＬ）がメインメモリ（ＭＭ）を介して中央処理装置（ＣＰＵ）に読み込まれることによって、本実施形態で説明する機能が実現される。
【００２６】
本実施形態において、スクリーン（ＳＣ１，ＳＣ２）の前にいる視聴者（ユーザ）がなんらかの会話をしていたり、スクリーンに対して話しかけると、マイク（ＭＩＣ）によって当該音声が集音される。このマイク（ＭＩＣ）で集音された音声情報は、制御部（ＣＯＮ）に読み込まれてアプリケーションプログラム（ＡＰＬ）によってその平均周波数が検出されて、当該周波数から前記視聴者（ユーザ）の性別および年齢が推定される。中央処理装置（ＣＰＵ）は前記で得られた性別および年齢から当該視聴者（ユーザ）の身長（具体的には頭部の位置）が算出される。
【００２７】
そして、中央処理装置（ＣＰＵ）は、前記視聴者（ユーザ）の頭部の位置がいずれのスクリーン（ＳＣ１、ＳＣ２）の近傍にあるかをアプリケーションプログラム（ＡＰＬ）に基づいて判定する。ここで、たとえば当該視聴者（ユーザ）の平均身長に基づく頭部の位置が、下側に配置されたスクリーン（ＳＣ２）に近い場合には、中央制御装置（ＣＰＵ）は、下側のスクリーン（ＳＣ２）のみに電圧を印加して光の透過を遮断して、乳白色のスクリーンモードとする。一方、上側のスクリーン（ＳＣ１）には電圧供給を行うことなく、そのまま光が透過される状態となる。
【００２８】
これによって、子供が注視しやすいスクリーン（ＳＣ２）のみに静止画・動画コンテンツが投影されることになる。
【００２９】
（実施形態２）
この実施形態２のハードウエア構成はほとんど実施形態１で説明したものと同様であるが、スクリーン（ＳＣ１，ＳＣ２）は分割構成でなくてもよい。
【００３０】
この実施形態の特徴は、大規模記憶装置（ＨＤ）に登録されているテーブルが、図３に示す構成を有している点にある。
【００３１】
同図に示すテーブルはコンテンツ決定テーブルであり、マイク（ＭＩＣ）から集音された音声データを分析して、その音量と周波数との組み合わせによって異なるコンテンツを読み出してプロジェクタから投影するものである。
【００３２】
本実施形態では、たとえば、音量が３０ｄｂで、周波数帯域が２００Ｈｚであれば「ＩＤ−Ｓ１」のコンテンツデータが大規模記憶装置（ＨＤ）から読み出されてプロジェクタ（ＰＲＯ）から投影される。また、８５ｄｂで６００Ｈｚであれば、「ＩＤ−Ｆ４」コンテンツデータが投影される。
【００３３】
本実施形態２では、１５個のコンテンツデータが登録されており、それぞれの音量範囲と周波数帯域との組み合わせにより適宜決定されるようになる。
【００３４】
これにより、マイク（ＭＩＣ）から集音された音声の周波数帯域から年齢層の低い子供であると判定した場合でも、音量が大きい場合にはスクリーンの近くにいるものと判断して、より細かい文字情報を含むコンテンツデータを投影し、同じ周波数帯域であっても音量が小さい場合にはスクリーンから離れていると判断して、遠くからでも認識できるように文字情報を付加しない映像だけのコンテンツデータを投影させることができる。
【００３５】
（実施形態３）
この実施形態３もハードウエア構成は前記実施形態１とほぼ同様であるが、大規模記憶装置（ＨＤ）に図４に示すような電圧決定テーブルを有している点が異なる。
【００３６】
同図に示すように、マイク（ＭＩＣ）で集音された音声の音量と、その音量に対応させた電圧によってスクリーンの透過度・非透過度を制御する点が特徴である。
【００３７】
たとえば、集音された音量から当該視聴者（ユーザ）がスクリーンの近くにいるものと判断した場合は、ガラス板の内側のショールームも見せるようにするために、透過度を比較的高めた状態でコンテンツデータを投影する。一方、音量が小さい場合には当該視聴者（ユーザ）がスクリーンから離れているものと判断した場合には、ショールームの中よりもむしろコンテンツデータを注視させるために透過度を下げて（非透過にして）スクリーン機能を高めてコンテンツデータを投影させるように制御する。
【産業上の利用可能性】
【００３８】
本発明は、静止画または動画を投影する投影型デジタルサイネージに利用することができる。
【符号の説明】
【００３９】
ＳＣ１、ＳＣ２  スクリーン
ＭＩＣ  マイク
ＰＲＯ  プロジェクタ
ＣＯＮ  制御部
ＣＰＵ  中央制御装置
ＭＭ  メインメモリ
ＢＵＳ  バス
ＤＩＳＰ  ディスプレイ装置
ＫＢＤ  キーボード
ＨＤ  大規模記憶装置
ＯＳ  オペレーティングシステム
ＡＰＬ  アプリケーションプログラム
ＴＢＬ  各種テーブル
Ｃ−ＤＡＴＡ  コンテンツデータ
Ｉ／Ｏ  インターフェース
ＳＷＢＯＸ  スイッチボックス
【図１】
2012226282.tif 000003
【図２】
2012226282.tif 000004
【図３】
2012226282.tif 000005
【図４】
2012226282.tif 000006